(57)【要約】  【課題】  簡単な動作で、点滴容器などを天井から任意の高さに吊り下げる物品吊下げ装置を提供する。  【解決手段】  物品吊下げ装置１は、下端に被吊下げ物との係合部３２を有する吊り線５と、吊り線５を巻回するリール７と、リール７を、被吊下げ物を上昇させる方向に回転付勢するぜんまいと、吊り線５を任意の位置で解除可能にグリップするグリッパー２０と、リール７の回転を緩衝するダンパー９とを備える。リール７、付勢手段及びダンパー９は円筒形のケーシング３に収容されている。吊り線５は、ケーシング３の下部中央から下方に延びるようにガイドローラ１０でガイドされる。【選択図】  図１
2007307271.tif 000002
【特許請求の範囲】
【請求項１】
建物の天井から物品を任意高さに吊り下げる吊下げ装置であって、
下端に被吊下げ物との係合部を有する吊り線と、
該吊り線を巻回するリールと、
該リールを、前記被吊下げ物を上昇させる方向に回転付勢する付勢手段と、
前記吊り線を任意の位置で解除可能にグリップするグリッパーと、
前記リールの回転を緩衝するダンパーと、
前記リール、付勢手段及びダンパーを収容するとともに天井に設置されるケーシングと、
前記ケーシングの下部中央に前記吊り線が来るようにガイドするガイドと、
を具備することを特徴とする物品吊下げ装置。
【請求項２】
前記付勢手段がぜんまいであり、
該ぜんまいが前記リールと同軸上に配置されていることを特徴とする請求項１記載の物品吊下げ装置。
【請求項３】
前記ケーシングが円筒形であることを特徴とする請求項１又は２記載の物品吊下げ装置。
【発明の詳細な説明】
【技術分野】
【０００１】
本発明は、医療用輸液容器（点滴容器）などを、天井から任意の高さに吊り下げる物品吊下げ装置に関する。
【背景技術】
【０００２】
病院などの医療施設で点滴を行う際、点滴容器は、専用のスタンドに吊下げられて使用されることが多い。スタンドは、ベットや床に固定されているものや、キャスター付きの移動可能なものが使用される。点滴容器の高さを変える場合は、看護士などがスタンドの高さを調整したり、スタンドから点滴容器を吊下げるコードなどの長さを調節する。
【０００３】
このような調整は手間がかかる作業であるとともに、ベッドの近くこのようなスタンドがあると、患者や医師、看護士などがつまずいたりして危険な場合もあり得る。
【発明の開示】
【発明が解決しようとする課題】
【０００４】
本発明は上記の問題点に鑑みてなされたものであって、簡単な動作で、点滴容器などを天井から任意の高さに吊り下げる物品吊下げ装置を提供することを目的とする。特には、天井への取付が簡単であり、コストアップを押えた物品吊下げ装置を提供することを目的とする。
【課題を解決するための手段】
【０００５】
本発明の物品吊下げ装置は、  建物の天井から物品を任意高さに吊り下げる吊下げ装置であって、  下端に被吊下げ物との係合部を有する吊り線と、  該吊り線を巻回するリールと、  該リールを、前記被吊下げ物を上昇させる方向に回転付勢する付勢手段と、  前記吊り線を任意の位置で解除可能にグリップするグリッパーと、  前記リールの回転を緩衝するダンパーと、  前記リール、付勢手段及びダンパーを収容するとともに天井に設置されるケーシングと、  前記ケーシングの下部中央に前記吊り線が来るようにガイドするガイドと、を具備することを特徴とする。
【０００６】
本発明においては、  前記付勢手段がぜんまいであり、  該ぜんまいが前記リールと同軸上に配置されていることが好ましい。
さらに、  前記ケーシングが円筒形であることが好ましい。
【０００７】
本発明によれば、輸液容器などを天井から任意の高さに昇降させることができる。また、この吊下げ装置においては、吊り線を装置のケーシングの下部中央から下方に引き出しているので、吊下げ装置を天井などに取り付ける際に、吊り線を引き出したい位置に、吊下げ装置の中央を合わせることができ、設置位置を混乱なく設定できる。
また、付勢手段としてぜんまいを利用し、ぜんまいとリールを同軸上に配置させることにより、外形がコンパクトとなり、安価に製造できる。さらに、このような構成により、ケーシングを円筒状とすることができるので、天井に取り付ける際の取付孔を円形とでき、取付工事が簡単になる。
【発明の効果】
【０００８】
以上の説明から明らかなように、本発明によれば、天井への取付が簡単でコストアップを押えた物品吊下げ装置を提供できる。
【発明を実施するための形態】
【０００９】
以下、本発明の実施の形態について、図面を参照しながら詳細に説明する。
図１は、本発明の実施の形態に係る物品吊下げ装置の全体の構造を示す分解斜視図である。
この物品吊下げ装置１は、天井に設置されるケーシング３を有し、同ケーシング３から、吊り線５が任意の長さに停止可能に引き出される。これにより、吊り線５の下端に吊下げられた被吊り下げ物（点滴容器など）が、天井から任意の高さに停止可能に吊り下げられる。
【００１０】
ケーシング３内には、吊り線５を巻回するリール７と、リール７を被吊り下げ物を上昇させる方向に回転付勢する付勢手段と、リール７の回転を緩衝するダンパー９と、吊り線５をケーシング３の下部中央に来るようにガイドするガイドローラ１０などが収容されている。また、ケーシング３の下部には、吊り線５を任意の位置で解除可能にグリップするグリッパー２０が設けられている。
【００１１】
まず、ケーシング３とケーシング内部の構造を説明する。
図２は、図１の吊下げ装置のケーシング内の構造を示す側面断面図である。
図３は、図１の吊下げ装置のケーシング内の構造を示す平面断面図である。
ケーシング３は図１に示すように円筒状の形状で、円形の底板３ａ、円筒状の側板３ｂ、円形の天板３ｃから構成される。底板３ａ、側板３ｂ、天板３ｃは、ビスで分解可能に組み立てられる。天板３ｃと側板３ｂの径は、例えば１２５〜１３０ｍｍとすることができる。底板３ａの径は、天板３ｃや側板３ｂの径よりも大きい。底板３ｄの中央には、図２に示すように、吊り線５が出入りする円形の開口３ｄが開けられている。さらに、底板３ａの上面には、開口３ｄを挟んで２枚の方形の取付板４ａ、４ｂが立設されている。リール７、付勢手段、ダンパー９、ガイドローラ１０は、この取付板４ａ、４ｂに取り付けられている。また、図１に示すように、天板３ｃには、吊下げ装置１を天井などへ取り付ける際の取付孔３ｅが開けられている。取付孔３ｅは、この例では、天板３ｃの中心とその両側に開けられている。
【００１２】
２枚の取付板４ａ、４ｂ間の上部には、吊り線５が巻き回されるリール７が配置されている。リール７は、取付板４ａ、４ｂ間に掛け渡されたシャフト８に、回転可能に取り付けられている。吊り線５の上端はリール７に固定されて、リール７に巻き回されている。リール７内には、ぜんまい（付勢手段、図示されず）が収容されている。このぜんまいは、吊り線５がリール７に巻き回されるように、つまり、吊り線５の下端に吊下げられた被吊り下げ物を上昇させるように、リール７を回転するように付勢する。ぜんまいの一端はシャフト８に固定されており、シャフト８をリール７に対して回転させることにより、ぜんまいの引込力を調整することができる。ケーシング側板３ｂには、このシャフト８の回転調整時に、ドライバー等を挿入する孔３ｄ（図１参照）が開けられている。なお、このようなリール７、ぜんまい、シャフト８、吊り線５からなる組立体は、例えば、ワイヤ引込式ぜんまいユニットＭＳＷ−Ｍ型（商品名、サンコースプリング株式会社製）を使用することができる。リール７の一方の側面には歯車７ａが形成されている。
【００１３】
ダンパー９は、一方の側板４ａと、同側板４ａに取り付けられた別物のダンパー取付板１３の間に配置されている。ダンパー９としては、市販のオイルダンパーを使用できる。ダンパー９の軸は、２枚の側板４ａ、４ｂ間に突き出ており、同軸には歯車１１が固定されている。この歯車１１は、リール７の側面に形成された歯車７ａと噛み合っている。
【００１４】
２枚の取付板４ａ、４ｂ間の下部には、図２の下部に示すシャフト１５が掛け渡されており、同シャフト１５にガイドローラ１０が回転可能に取り付けられている。このガイドローラ１０は、リール７に巻き回された吊り線５を、ケーシング底板３ａの開口３ｄに案内する。
なお、図２、図３の符号１７で示す部材は、縦長のＵ字状をしており、シャフト８のがたつきを防止するためのものである。
【００１５】
次にグリッパー２０の構造を説明する。
図４は、グリッパーの構造を説明する図であり、吊り線を下方に少し引き出した状態を示す。
図５は、グリッパーの構造を説明する図であり、吊り線が上昇限の位置にある状態を示す。
グリッパー２０は、図２にも示すように、ケーシング底板３ａの開口３ｄに下方に突き出るように取り付けられている。グリッパー２０は、内スリーブ２１と、内スリーブ２１が収容される外スリーブ２５と、内スリーブ２１内に収容されるボール２２及びスプリング２３と、外スリーブ２５が収容される最外スリーブ２６と、から主に構成される。
【００１６】
内スリーブ２１には、吊り線５が挿通される通し孔２２ａが軸方向に貫通して形成されており、外周面の中央付近に、下方に向って径が拡がるテーパ状面２２ｂが形成されている。
【００１７】
内スリーブ２１のテーパ外周面２２ｂが形成されている部分には、同部の外周面と通し孔２１ａに開口する３個のボールセット孔２１ｃが形成されている。ボールセット孔２１ｃは、通し孔２１ａの中心に対して等しい中心角度（この例では１２０°）に位置し、同孔の軸と直交する方向（径方向）に延びている。各ボールセット孔２１ｃには、ボール２２が嵌合している。各孔２１ｃの径は、ボール２２の径にプラスα（例えば、０．１ｍｍ）した寸法であり、各ボール２２は各孔２１ｃ内に回転可能に支持されているとともに、孔軸方向に移動可能である。また、各孔２１ｃの長さは、ボール２２の径よりやや短い。
【００１８】
外スリーブ２５には、内スリーブ２１が収容される中空孔部が軸方向に貫通して形成されている。中空孔部のほぼ中央には、下方に向って径が拡がるテーパ状の内周面２５ｂが形成されており、下部にはネジが形成されている。このネジにはスプリング押え２７が螺合している。また、外スリーブ２５の先部２５ａの外面にはネジが形成されている。
【００１９】
内スリーブ２１は、外スリーブ２５の中空孔部に挿入されている。そして、内スリーブ２１のテーパ外周面２１ｂが形成された部分の下面と外スリーブ２５の中空孔部に螺合したスプリング押え２７の上面との間には、スプリング２３が配置されている。内スリーブ２１は、このスプリング２３により上方向に付勢されて、内スリーブ２１のテーパ外周面２１ｂが外スリーブ２５のテーパ内周面２５ｂに当接している。このとき、内スリーブ２１の各ボールセット孔２１ｃに嵌合している各ボール２２は、外側が外スリーブ２５のテーパ内周面２５ｂに押されて内側が通し孔２１ａに突き出ている。また、内スリーブ２１の下部の下端２１ｄは、外スリーブ２５の下部から下方に突き出ている。
【００２０】
外スリーブ２５の下部、及び、内スリーブ２１の外スリーブ２５から下方に突き出た部分には、最外スリーブ２６が嵌合している。最外スリーブ２６は、外スリーブ２５の最外径とほぼ同径の外径を有し、軸上に孔部が形成されている。この孔部の下方には、小径の内スリーブ固定部２６ａが形成されている。この内スリーブ固定部２６ａは、内スリーブ２１の外スリーブ２５から下方に突き出た部分２１ｄがネジ止めされている。また、最外スリーブ２６の下部には、引きリング２８が取り付けられている。
【００２１】
吊り線５をグリッパー２０に通す際は、通常は、吊り線５を内スリーブ２１の先から吊り線通し孔２１ａに差し込む。吊り線５がボールセット孔２１ｃのボール２２に達すると、吊り線５の下端でボール２２が下に押され、これにより内スリーブ２１が下方向へ移動する。つまり、内スリーブ２１のテーパ外周面２１ｃは、外スリーブ２５のテーパ内周面２５ｂに内接していた状態から、同テーパ内周面２５ｂの径が拡がる方向へ動く。その結果、テーパ外周面２１ｂとテーパ内周面２５ｂとの間にスキマが開き、内スリーブ２１のボールセット孔２１ｃに嵌合しているボール２２は同孔内で外方向に移動可能となる。そして、ボール２２は、吊り線５の外面で押されて外方向に移動する。この結果、通し孔２１ａが開き、吊り線５は同孔２１ａを貫通可能となる。
【００２２】
吊り線５をボールセット孔２１ｃを超えるまで差し込んだ後先方向（図の上方向）に引くと、吊り線５はグリッパー２０にグリップされる。つまり、この状態では、内スリーブ２１はスプリング２３で上方に付勢されて、テーパ外周面２１ｂが外スリーブ２５のテーパ内周面２５ｂに当接している。そして、内スリーブ２１の各ボールセット孔２１ｃに嵌合しているボール２２の外側の面が外スリーブ２５のテーパ内周面２５ｂで押されて、ボール２２の内側の面が通し孔２１ｃに突き出ている。吊り線５は、この突き出たボール２２に挟まれてグリップされる。
【００２３】
グリップを解除する際は、図５に示すように、引きリング２８を持って最外スリーブ２６を下に引く。すると、最外スリーブ２６が接着している内スリーブ２１は外スリーブ２５に対して下方に移動し、外スリーブ２５のテーパ内周面２５ｂの径が拡がる方向へ動く。その結果、内スリーブ２１のテーパ外周面２１ｂと外スリーブ２５のテーパ内周面２５ｂとの間にスキマが開き、前述のようにボール２２が移動可能となる。この際、スプリング２３は、内スリーブ２１とスプリング押え２７間に挟まれて圧縮している。
【００２４】
最外スリーブ２６から下に出た吊り線５の下端には、吊り線５を鉛直方向に垂下させるウェイト３１が固定されている。このウェイト３１には、点滴容器などの被吊り下げ物が吊下げられるフック（係合部）３２が螺合して固定されている。
【００２５】
グリッパー２０の外スリーブ先部２５ａは、ケーシング３の底板３ａの下方から開口３ｄに挿入されており、底板３ａから上方に突き出た先部２５ａのネジにナット３３が螺合している。これにより、グリッパー２０がケーシング底板３ａに固定される。
【００２６】
フック３２の昇降動作について説明する。
吊り線５はグリッパー２０から下方へは引き出し自在であるため、フック３２を下方に引っ張ると、ぜんまいの付勢力に抗してリール７が回転して吊り線５がリール７から解かれ、グリッパー２０から任意の長さに引き出すことができる。そして、フック３２を引っ張る力を解除すると、ぜんまいはリール７を回転させて、吊り線５をリール７に巻き回そうとする。しかし、吊り線５を上方向に引く場合、グリッパー２０が前述のように吊り線５をグリップするので、吊り線５はリール７に巻き回されない。つまり、吊り線５は、引き出された位置（高さ）に停止する。
【００２７】
フック３２を上昇させた場合は、図５に示すように、引きリング２８を下方に引く。すると、最外スリーブ２６とともに内スリーブ２１が下方に移動する。その結果、前述のようにグリッパー２０のグリップ力が解除され、リール７がぜんまいの力により回転し、吊り線５がリール７に巻き回されて、フック３２が上昇する。この際、リール７の歯車７ａがダンパー９の歯車１１と噛み合っているので、吊り線５が引き込まれる速度が緩衝される。この際、グリッパー２０においては、スプリング２３は、内スリーブ２１の中央部とスプリング押え２７間に挟まれて圧縮している。
【００２８】
そして、引きリング２８を引く力を解除すると、圧縮していたスプリング２３が伸びて、最外スリーブ２６と内スリーブ２１がスプリング押え２７（外スリーブ２５）に対して上方に付勢される。すると、内スリーブ２１のテーパ外周面２１ｂが外スリーブ２５のテーパ内周面２５ｂに内接し、その結果、ボール２２が内方向に移動して吊り線５がボール２２に押されてグリッパー２０にグリップされる。
【００２９】
次に、吊下げ装置１を天井へ取り付ける方法について説明する。
図６は、取付方法の一例を説明する図である。
まず、吊下げ装置１のケーシング３を、天板３ｃと側板３ｂとを組み立てたもの、及び、底板３ａに分解する。底板３ａには、取付板４ａ、４ｂやグリッパー２０などが取り付けられたままとする。そして、図６（Ａ）に示すように、天井仕上げ材Ｃにφ１２５〜１３０の孔Ｐを開けるとともに、スラブＳに２本のナットアンカーＡを取り付ける。天井仕上げ材Ｃに孔Ｐを開ける際は、孔Ｐの中心を、実際に吊り線５を引き出したい位置に合わせる。次に、図６（Ｂ）に示すように、ナットアンカーＡにボルトＢを固定する。そして、天井仕上げ材Ｃに開けた孔Ｐの下方から、ケーシング３のうちの天板３ｃと側板３ｂとを組み立てたものを挿入する。そして、天板３ｃの取付孔３ｅ（図１参照）にボルトＢを通してナットＮで固定する。その後、ケーシング側板３ｂの下縁が、天井面Ｃと水平になるようにナットＮの位置を調整する。ナットＮの調整は、ケーシング側板３ｂの下から手を入れて行うことができる。最後に、図６（Ｄ）に示すように、ケーシング底板３ａをビスＢで側板３ｂに取り付ける。
【００３０】
図７は、取付方法の他の例を説明する図である。
この例では、吊下げ装置１のケーシング３を、天板３ｃ、及び、側板３ｂと底板３ａを組み立てたものに分解する。まず、図７（Ａ）に示すように、天井仕上げ材Ｃにφ１２５〜１３０の孔Ｐを開けるとともに、孔Ｐの中心上のスラブＳに１本のナットアンカーＡを取り付ける。次に、図７（Ｂ）に示すように、天板３ｃの中心の取付孔３ｅにボルトＢを固定した後、天板３ｃを側板３ｂにビスＢで取り付ける。そして、天井Ｃに開けた孔Ｐの下方から吊下げ装置１を挿入し、図７（Ｃ）に示すように、装置１を回転させながら、ボルトＢをアンカーＡに螺合させる。図７（Ｄ）に示すように、ケーシング３の底板３ａが天井面に達すると、ケーシング３が動かないようにボルトＢにナットＮで固定する。
【００３１】
図８は、取付方法の他の例を説明する図である。
図８（Ａ）の方法では、ケーシング３の天板３ｃの径を側板３ｂの径より大径としておく。そして、天板３ｃの側板３ｂより外側の部分を直接天井ＣにコンクリートビスＢやビスで固定する。
図８（Ｂ）の方法では、天井Ｃに予めレールＲを設置しておく。そして、吊下げ装置１のケーシング天板３ｃに同レールＲに係合するスライダＳを取り付けておく。そして、スライダＳをレールＲに係合させる。この例では、吊下げ装置１をレールＲに沿って移動させることができる。
【図面の簡単な説明】
【００３２】
【図１】本発明の実施の形態に係る物品吊下げ装置の全体の構造を示す分解斜視図である。
【図２】図１の吊下げ装置のケーシング内の構造を示す側面断面図である。
【図３】図１の吊下げ装置のケーシング内の構造を示す平面断面図である。
【図４】グリッパーの構造を説明する図であり、吊り線を下方に少し引き出した状態を示す。
【図５】グリッパーの構造を説明する図であり、吊り線が上昇限の位置にある状態を示す。
【図６】取付方法の一例を説明する図である。
【図７】取付方法の他の例を説明する図である。
【図８】取付方法の他の例を説明する図である。
【符号の説明】
【００３３】
１  物品吊下げ装置
３  ケーシング                            ４  側板
５  吊り線                                ７  リール
８  シャフト                              ９  ダンパー
１０  ガイドローラ                        １１  歯車
１３  ダンパー取付板                      １５  シャフト
１７  Ｕ字状部材
２０  グリッパー                          ２１  内スリーブ
２２  ボール                              ２３  バネ
２５  外スリーブ                          ２６  最外スリーブ
２７  スプリング押え                      ２８  引きリング
３１  ウェイト                            ３２  フック
【図１】
2007307271.tif 000003
【図２】
2007307271.tif 000004
【図３】
2007307271.tif 000005
【図４】
2007307271.tif 000006
【図５】
2007307271.tif 000007
【図６】
2007307271.tif 000008
【図７】
2007307271.tif 000009
【図８】
2007307271.tif 000010